(57)【特許請求の範囲】
【請求項１】
下面部が開口する筐体である室内ユニット本体と、
この室内ユニット本体の内部に収容され、上記下面開口部の略中央部位に対向して配置され軸方向から空気を吸込んで周方向へ吹出す送風機と、この送風機の吹出し側である周囲を囲んで配置される熱交換器および、この熱交換器の下部に設けられ、熱交換器に生成されるドレン水を受けるドレンパンと、
上記熱交換器の熱交換空気導入側である一次側に位置するように設けられ、上記ドレンパン内に集溜するドレン水の水位を検知するフロートスイッチと、
このフロートスイッチの検知信号にもとづいて作動し、上記ドレンパン内に集溜するドレン水を汲み上げて外部へ排出するドレンポンプとを具備し、
上記フロートスイッチおよびドレンポンプは、それぞれ別個の支持体を備え、
上記フロートスイッチの支持体は、上記ドレンパンの内側立て壁部に着脱可能に取付けられることを特徴とする空気調和機の室内ユニット。」
【請求項２】
上記室内ユニット本体の下面開口部は、上記ドレンパンの内側部に対向して吸込み口を備えるとともに、上記ドレンパンの外側部と室内ユニット本体側壁との間に対向して吹出し口を備えた化粧パネルで閉成され、
上記フロートスイッチの支持体をドレンパンに取付けるための取付け具を、上記室内ユニット本体の下方部位から上記化粧パネルの吸込み口を介して挿入可能としたことを特徴とする請求項１に記載の空気調和機の室内ユニット。
【請求項３】
上記ドレンパンの内側壁部に、上記フロートスイッチの支持体を位置決めするための位置決め用ボスが設けられることを特徴とする請求項２に記載の空気調和機の室内ユニット。
【発明の詳細な説明】
【技術分野】
【０００１】
本発明は、たとえば天井埋込み型とした空気調和機の室内ユニットに係り、特にドレンポンプとフロートスイッチの取付け構造の改良に関する。
【背景技術】
【０００２】
天井埋込み型とした空気調和機の室内ユニットは、天井内に配置される室内ユニット本体内部に、送風機と、熱交換器と、冷房運転時に熱交換器で生成されるドレン水を受けるドレンパンと、このドレンパンに溜ったドレン水を屋外へ排出するためのドレンポンプと、フロートスイッチおよび制御部等を備えている。
【０００３】
上記フロートスイッチはドレンパン内のドレン水水位を検知し、水位が一定基準を越えると制御部へ検知信号を送る。制御部はドレンポンプに駆動信号を送って、ドレン水を排出させる。ドレン水位が降下して一定基準に到達すると、フロートスイッチは再び制御部へ検知信号を送ってドレンポンプを停止させる。
【０００４】
たとえば、［特許文献１］には、ドレンポンプとフロートスイッチを同一の支持機構に互いに並設状態に支持し、この支持機構を介して筐体である室内ユニット本体に取付けた技術が開示される。これは、室内ユニット本体のほとんどが断熱材である発泡スチロール材から形成されていて支持機構を直接取付けることができず、その対策をなしている。
【特許文献１】特開２００４−８５００１号公報
【発明の開示】
【発明が解決しようとする課題】
【０００５】
いずれにしろ、ドレンポンプとフロートスイッチは一体になって室内ユニット本体の天板部に吊持して取付けられることになる。ところでドレンポンプは、理想的には、ドレンパン内のドレン水を完全に吸上げて外部へ排出できるとよい。そのためには、ドレンポンプの先端面に吸込み部を設けて、ドレンパンの底面壁に密着させる。
【０００６】
その反面、吸込み部をドレンパン底面壁に完全密着すると吸込みが不十分となるので、意図的に、ある程度の間隙を存するよう取付ける。すなわち、ドレンポンプの位置は比較的に低精度ですむ。これに対してフロートスイッチは、ドレンパン内に集溜するドレン水の最高基準と最低基準の水位を検知するものであるから、高精度の取付けが要求される。
【０００７】
上述したように、室内ユニット本体の大部分は発泡スチロール材から構成され、ここにドレンパンが組み付けられる。ドレンポンプとフロートスイッチは、一体にして本体に支持される。当然ながら、組立誤差の発生がともなうものであり、ドレンポンプの取付けは問題がないものの、フロートスイッチに対する高精度の取付けは極めて困難である。
【０００８】
本発明は上記事情にもとづきなされたものであり、その目的とするところは、ドレンパンに対するドレンポンプとフロートスイッチの相対的な位置ずれを是正して、特にフロートスイッチに対する取付け精度の向上を得られ、ドレンパンに集溜するドレン水の水位を正確に検出して、フロートスイッチの動作品質の向上化を得る空気調和機の室内ユニットを提供しようとするものである。
【課題を解決するための手段】
【０００９】
上記目的を満足するため本発明の空気調和機の室内機は、下面部が開口する筐体である室内ユニット本体内部に下面開口部の略中央部位に対向して配置され軸方向から空気を吸込んで周方向へ吹出す送風機と、この送風機の吹出し側である周囲を囲んで配置される熱交換器を収容し、この熱交換器の下部に熱交換器に生成されるドレン水を受けるドレンパンを設け、熱交換器の熱交換空気導入側である一次側に位置するようにフロートスイッチを設けてドレンパン内に集溜するドレン水の水位を検知し、このフロートスイッチの検知信号にもとづいてドレンポンプを作動しドレンパン内に集溜するドレン水を汲み上げて外部へ排出するよう構成されていて、フロートスイッチおよびドレンポンプはそれぞれ別個の支持体を備え、フロートスイッチの支持体はドレンパンの内側立て壁部に着脱自在に取付けられる。
【発明の効果】
【００１０】
本発明によれば、ドレンパンに対するドレンポンプとフロートスイッチの相対的な位置ずれを是正して、特にフロートスイッチに対する取付け精度の向上を得られ、ドレンパンに集溜するドレン水の水位を正確に検出して、フロートスイッチの動作品質の向上化を得る効果を奏する。
【発明を実施するための最良の形態】
【００１１】
以下、本発明の実施の形態を図面にもとづいて説明する。（なお、文中に符号の付していない構成部品および構成部位については図示していない。また、図の煩雑さを避けるために意図して構成部品および構成部位に符号を付していない場合もある）  
図１は、本発明の一実施の形態に係る天井埋込み型とした空気調和機の室内ユニットを見上げた状態での斜視図である。図２は、室内ユニットの底面図である。
【００１２】
空気調和機の室内ユニットは、天井板に設けられた取付け用開口部に室内側から挿入され、吊り下げボルト等を介して、いわゆる天井裏に吊持固定される室内ユニット本体１と、この室内ユニット本体１の下面部に取付けられ天井板から室内側に露出する化粧パネル２とから構成される。
【００１３】
前記室内ユニット本体１は、下面部が開口し、天板部と側面部に金属薄板を加工してなる板金製のケーシング３を備えている。このケーシング３の内周面は発泡スチロール材等からなる断熱材が取付けられ、内周面全面に亘って断熱材で覆われている。したがって、室内ユニット本体１は断熱構造をなしている。
【００１４】
室内ユニット本体１における下面開口部の略中央部に、ファンガードで保護された送風機５が配置される。この送風機５は、軸方向から空気を吸込んで周方向へ吹出す、いわゆる遠心ファン（「ターボファン」とも呼ばれる）を備えている。室内ユニット本体１は送風機５の上方部位が天板部１ａで覆われ、下方部位が開口部となっているので、下面開口部が送風機５の吸込み側に存在する。
【００１５】
この送風機５の吹出し側である周囲を囲むようにして、平面視で略四角枠状の熱交換器６が配置される。前記熱交換器６の下部に沿ってドレンパン７が設けられていて、冷房運転時に熱交換器６の熱交換作用にともなって生成されるドレン水をドレンパン７が受けることができる。
【００１６】
上記ドレンパン７は、上記室内ユニット本体１の内周壁に嵌め込まれていて、ドレンパン７の外側の辺部に内側ヘ向って凹陥形成される凹陥部ａを有する。さらに、ドレンパン７は、一つの内角隅部のみが内径方向へ向って突出形成されていて、この突部のドレンパン７底面壁にドレン口８が設けられる。
【００１７】
上記ドレン口８は、メンテナンス時などドレンパン７に残留するドレン水や水垢状物質等（以下、これらを総称して、「ドレン水」と呼ぶ）を排水処理するための開口部である。ドレン口８は、閉塞部材であるドレンキャップ１８によって開閉自在に閉塞される。図１および図２は、ドレン口８からドレンキャップ１８を取外した状態を示している。
【００１８】
上記ドレンポンプ１０はドレン口８の真上部位に設けられていて、開口されたドレン口８からドレンポンプ１０が見えている。換言すれば、ドレンポンプ１０の直下部位にドレン口８が設けられていて、ドレンポンプ１０の中心軸がドレン口８の中心軸と一致するよう取付けられる。
【００１９】
ドレン口８の直径はドレンポンプ１０の直径よりも大に形成されていて、ドレン口８からドレンポンプ１０の外周面が完全に見える。そのため、ドレンポンプ１０を取外すことにより、ドレンポンプ１０はドレン口８に対して挿通自在である。すなわち、ドレンポンプ１０をドレン口８から脱着自在となっている。
【００２０】
上記ドレン口８の近傍部位で、かつドレンパン７の内側一部に沿って電気部品箱１１が設けられる。この電気部品箱１１は、室内ユニット本体１内に収容されている電動部品を制御する電気部品や、リモコンに対する送受信をなす電気部品等からなる制御部を収容するためのものである。
【００２１】
前記ケーシング３の下面開口部は、図１のみに示す前記化粧パネル２によって閉成されている。化粧パネル２は、たとえば合成樹脂材から成型されて美麗に仕上げられており、天井板から室内に対して露出し、室内ユニット本体１周面と天井板の取付け用開口部との隙間を遮蔽する。
【００２２】
この化粧パネル２の略中央部には吸込み口１２が開口されていて、フィルタを備えた吸込みグリル１３によって開閉自在である。図１は吸込みグリル１３を開放して吸込み口１２を露出した状態を示している。図２は室内ユニット本体１から化粧パネル２を取外した状態を示している。
【００２３】
なお説明すると、前記吸込み口１２は、送風機５およびドレンパン７の内側部と対向する部位に開口していて、略矩形状をなしている。この吸込み口１２に前記吸込みグリル１３が取付けられる。吸込みグリル１３を開放して吸込み口１２を露出すれば、吸込み口１２を介してドレンパン７の一つの内角隅部に設けられるドレン口８を開放できる。
【００２４】
前記吸込みグリル１３は、吸込み口１２における室内空気の流通を可能としながら、吸込み口１２からケーシング３内部に対する遮蔽をなす。メンテナンス時には、吸込みグリル１３を開放することでフィルタを取外すことができ、室内床上でのフィルタの掃除が可能である。
【００２５】
化粧パネル２の各辺部に沿って吹出し口１５が設けられ、室内ユニット本体１側面壁とドレンパン７の凹陥部ａとで形成される隙間部に対向する。化粧パネル２と送風機５との間にはベルマウス１６が設けられ、周囲をドレンパン７で囲まれる。ベルマウス１６は、送風機５側が小径で、化粧パネル２の吸込み口１２側が大径のホーン状に形成される。
【００２６】
つぎに、ドレンポンプ１０の取付け構造について詳述する。  
図３は室内ユニット一部の概略構成図であり、ドレンポンプ１０の取付け構造を説明する図である。
【００２７】
上記ドレンポンプ１０は吸込み部１０ａを下部側であるドレン口８に向け、上端面がポンプ支持体であるポンプ支持具１７に取付けられている。ドレン口８にドレンキャップ１８が嵌め込まれた状態で、ドレンポンプ１０の吸込み部１０ａ端面とドレンパン７底面壁、詳しくはドレンキャップ１８との間隔は極くわずかでしかない。
【００２８】
すなわち、ドレンポンプ１０の吸込み部１０ａはドレンパン７に集溜するドレン水内に完全に浸漬するよう支持される。上記ポンプ支持具１７は、ポンプ支持部１７ａから直上部位へ延出される脚部１７ｂを備えていて、この脚部１７ｂの上端は室内ユニット本体１を構成する天板部１ａに取付け固定される。
【００２９】
ドレンポンプ１０の裏面側には、吸込み部１０ａから吸込んだドレン水を吐出する吐出部が設けられ、ここにドレンホース１９の一端部が接続される。ドレンホース１９は、吐出部からポンプ支持具１７の脚部１７ｂ間に巻回され、さらに上記熱交換器６の上端部と室内ユニット本体天板部１ａとの間を越えて引き回される。
【００３０】
すなわち、室内ユニット本体１の天板部１ａにおいて、ケーシング３の内面に取付けられる断熱材４の一部が凹陥形成されていて、この凹陥部ｂにドレンホース１９が挿通される。  
上記断熱材４に対する加工は必要であるが、凹陥部ｂを形成するだけなので、ほとんど工数に影響しない。また、熱交換器６の上端部に対して何らの加工も不要であり、工数への影響は全く無い。
【００３１】
上記熱交換器６は、その下端面がドレンパン７の底面壁に一体に設けられる突堤部ｄに載置される。一方で、熱交換器６の上端面は室内ユニット本体１の天板部１ａに設けられる断熱材４に接触している。すなわち、熱交換器６は室内ユニット本体天板部１ａとドレンパン７との間に、上下方向から挟持固定されている。
【００３２】
ただし、ドレンパン７において、熱交換器６を支持する突堤部ｄがドレンパン７の底面壁全周に亘って設けられていると、熱交換器６で生成されるドレン水が突堤部ｄの内側と外側に二分されてしまう。これに対して、上記ドレン口８とドレンポンプ１０は熱交換器６の内側部位に設けられている。
【００３３】
熱交換器６で生成され流下して突堤部ｄの内側に集溜するドレン水は、そのままドレン口８およびドレンポンプ１０に導かれる。しかしながら、突堤部ｄの外側に集溜するドレン水はそこで溜ってしまい、突堤部ｄをオーバーフローしない限りドレン口８とドレンポンプ１０に導かれないこととなる。
【００３４】
そのため、突堤部ｄの少なくとも一箇所において、ある程度の長さ寸法をもって突堤部ｄが切欠加工される。すなわち、突堤部ｄが中断され、この中断部ｅにおいてドレンパン７の底面壁が露出する。これにより、熱交換器６から突堤部ｄの外側部位に流下したドレン水は、中断部ｅを介して内側部位に導かれ、ドレン口８もしくはドレンポンプ１０から排出されることになる。
【００３５】
なお、上記ドレンポンプ１０の近傍部位には、後述するフロートスイッチ２０が取付けられる。  
つぎに、ドレンポンプ１０に対するフロートスイッチ２０の取付け構造について説明する。  
図４は室内ユニット一部を切欠して示す斜視図であり、ドレンポンプ１０とフロートスイッチ２０の取付け構造を説明する図である。図５は室内ユニット一部を分解するとともに切欠して示す斜視図であり、ドレンポンプ１０とフロートスイッチ２０の取付け構造を説明する図である。
【００３６】
上述したように、熱交換器６がドレンパン７と室内ユニット本体１を構成する天板部１ａとの間に挟持される。ドレンパン７の一部は熱交換器６の内側へ突出し、ドレン口８が設けられる。ドレンポンプ１０は室内ユニット本体天板部１ａにポンプ支持具１７を介して吊持され、ドレンポンプ１０先端の吸込み部１０ａはドレンキャップ１８と狭小の間隙を存している。
【００３７】
上記ドレンパン７の内側部と、ここでは図示しない送風機５は、化粧パネル２の吸込み口１２に対向して設けられていて、ドレンポンプ１０は熱交換器６の熱交換空気導入側である一次側に位置する。フロートスイッチ２０はドレンポンプ１０の近傍部位に取付けられているので、前記フロートスイッチ２０も熱交換器６の一次側に位置する。
【００３８】
つぎに、フロートスイッチ２０の取付け構造について詳述する。  
図６は、フロートスイッチ２０を取付けたドレンパン７の斜視図である。図７は、図６の一部を拡大した斜視図であって、特にフロートスイッチ２０の取付け部分を示す。図８は、フロートスイッチ２０のドレンパン７に対する取付け構造を説明する斜視図である。
【００３９】
上記フロートスイッチ２０は、フロートスイッチ支持体であるところの固定ベース２１を備えている。固定ベース２１は薄い金属板を板金加工してなり、一端部にフロートスイッチ２０の上端部をねじ止め固定するとともに、フロートスイッチ２０の周面に突出してフロートスイッチ２０を保護する、取付け保護部２１ａが形成される。
【００４０】
固定ベース２１の他端部は、取付け保護部２１ａから水平方向へ一体に突出形成される取付け部２１ｂとなっていて、この取付け部２１ｂにねじ孔２２が設けられる。取付け部２１ｂの端縁は折曲片２１ｃが下方に折曲され、この折曲片２１ｃにボス嵌合用孔２３が設けられる。
【００４１】
フロートスイッチ２０に備えた固定ベース２１は、断面凹状に形成されるドレンパン７の内側立て壁部７ａに取付け固定される。すなわち、フロートスイッチ２０の取付け保護部２１ａの側面から、取付け部２１ｂの折曲片２１ｃまでの幅寸法は、上記ドレンパン７の内側立て壁部７ａの幅寸法と略同一に形成されている。
【００４２】
内側立て壁部７ａの上面に、上記固定ベース２１に設けられるねじ孔２２に合せた直径のねじ挿通用孔２５が開口される。特に図示していないが、内側立て壁部７ａ自体が下部から上面に向って凹陥形成されていて、上面部の肉厚が薄く形成される。
【００４３】
そのため、図８に示す取付け用ねじ２６をドレンパン７の下部側から内側立て壁部７ａの凹陥部を介してねじ挿通用孔２５に挿入すると、取付け用ねじ２６のねじ部先端は内側立て壁部７ａの上面から突出する。ここにフロートスイッチ固定ベース２１のねじ孔２２があれば、取付け用ねじ２６をねじ孔２２に螺合でき、内側立て壁部７ａにフロートスイッチ固定ベース２１を取付け可能である。
【００４４】
また、ドレンパン内側立て壁部７ａの壁面に位置決め用ボス２７が一体に突設される。前記位置決め用ボス２７は円形状をなしていて、この直径はフロートスイッチ固定ベース２１の取付け部折曲片２１ｃに設けられるボス嵌合用孔２３と同一である。
【００４５】
このようなフロートスイッチ２０の固定ベース２１に対するドレンパン７の内側立て壁部７ａの構成であり、以下に述べるようにしてフロートスイッチ固定ベース２１をドレンパン７に取付ける。  
具体的には、図８に示すように、フロートスイッチ２０を固定ベース２１に取付けたうえで、固定ベース２１の取付け部２１ｂをドレンパン７の内側立て壁部７ａの上方部位に対向する。そして、固定ベース２１を下降して、固定ベース２１の取付け部２１ｂをドレンパン内側立て壁部７ａに嵌め込む。取付け部２１ｂの幅寸法と、内側立て壁部７ａの幅寸法が略同一であるから、円滑に嵌合できる。
【００４６】
さらに、取付け部折曲片２１ｃに設けられるボス嵌合用孔２３をドレンパン内側立て壁部７ａの位置決め用ボス２７に嵌合する。ドレンパン７は発泡スチロール材で形成され弾性を有するから、ボス嵌合用孔２３を位置決め用ボス２７に嵌合するのに手間がかからない。
【００４７】
この状態で、固定ベースのねじ孔２２が、ドレンパン７のねじ挿通用孔２５に連通する。そこで、ドレンパン７の下部側から内側立て壁部７ａ下面に形成される凹陥部を介して取付け用ねじ２６を挿入する。ねじ挿通用孔２５を介してねじ孔２２に取付け用ねじ２６を螺挿することで、ドレンパン７に固定ベース２１をフロートスイッチ２０ごと取付け固定できる。
【００４８】
以上は、室内ユニット本体１にドレンパン７を組み込んだ状態にして行われる作業である。室内ユニット本体１への組み込み前であれば、単体のドレンパン７に固定ベース２１を取付けるのに、ドレンパン７を立てた姿勢とし、たとえば左方向から固定ベース２１をドレンパン内側立て壁部７ａに嵌合し、右方向から取付け用ねじ２６を螺着できる。
【００４９】
天井埋込みにして取付けた室内ユニットに対するメンテナンス作業において、必要に応じてフロートスイッチ２０を取外す場合には、予め図１に示すように吸込みグリル１３を回動して化粧パネル２に形成される吸込み口１２を露出する。  
そして、露出した吸込み口１２を介して工具を挿入し、取付け用ねじ２６を取外す。固定ベース２１はドレンパン７に対して自由となり、フロートスイッチ２０を備えたまま吸込み口１２を介して取外すことができる。
【００５０】
必要なメンテナンスを行った後、フロートスイッチ２０と固定ベース２１の一体物を、吸込み口１２に挿入してドレンパン内側立て壁部７ａに嵌め込み、取付け用ねじ２６をねじ挿通用孔２５を介してねじ孔２２に螺挿する。したがって、上記ドレンポンプ１０とともにフロートスイッチ２０においても、ドレンパン７等を室内ユニット本体１から取外すことなく脱着が可能である。
【００５１】
このようにして構成された天井埋込み型の空気調和機の室内機において、送風機５が駆動されると室内空気が吸込みグリル１３と吸込み口１２を介し、ベルマウス１６に案内されて室内ユニット本体１内に吸引される。室内空気は熱交換器６の一次側から熱交換器６を流通し、熱交換されてから二次側へ導出される。
【００５２】
そして、熱交換空気は吹出し口１５から室内へ吹出され、室内の空気調和をなす。特に冷房運転時には、熱交換器６の熱交換作用にともなってドレン水が生成され、ドレンパンに滴下する。時間の経過とともにドレンパン７におけるドレン水の集溜量が増大し、水位が上昇する。
【００５３】
フロートスイッチ２０はドレンパン７内のドレン水の水位を常時検知する。ドレン水の水位が基準の最高水位を越えたことを検知すると、フロートスイッチ２０は制御部へ検知信号を送る。制御部はドレンポンプ１０へ駆動信号を送り、ドレンポンプ１０はドレン水を吸上げドレンホース１９を介して外部へ排出する。
【００５４】
ドレンパン７に集溜されたドレン水は、ドレンパン７をオーバーフローすることなく円滑に排水される。ドレン水の水位が徐々に降下して最低基準水位にまで降下したことをフロートスイッチ２０が検知すると、再び制御部へ検知信号が送られる。制御部はドレンポンプ１０に停止信号を送り、ドレン水の排水を停止させる。
【００５５】
上記ドレンポンプ１０はポンプ支持具１７を介して室内ユニット本体天板部１ａに吊持され、室内ユニット本体１に対するドレンパン７の組付け誤差の影響を受ける。すなわち、ドレンパン７の底面壁からドレンポンプ１０の吸込み部１０ａとの間の寸法精度はラフであり、機体毎に幅がある。しかしながら、ドレンポンプ１０のドレン水吸上げの作用には影響を受けない。
【００５６】
これに対してフロートスイッチ２０は、ドレンパン７に直接取付ける構成としたから、取付け精度は高く、ドレンパン７に集溜するドレン水の水位を高精度で検知できる。したがって、ドレンポンプ１０に対する駆動制御がより正確となり、ドレン水のオーバーフローを確実に防止し、信頼性の向上を得られる。
【００５７】
以上を総括すれば、ドレンパン７に対するドレンポンプ１０とフロートスイッチ２０の相対的な位置ずれを是正して、特にフロートスイッチ２０に対する取付け精度の向上を得られ、ドレンパン７に集溜するドレン水の水位を正確に検出して、フロートスイッチ２０の動作品質の向上化を図れる。
【００５８】
フロートスイッチ固定ベース２１を、ドレンパン内側立て壁部７ａの上面に取付け固定するようにした。そのため、固定ベース２１を薄い金属板から形成しても、ドレンパン７に集溜するドレン水の影響を受けずにすむ。固定ベース２１はドレンスライムや錆びなどから保護されて、耐久性を確保できる。
【００５９】
フロートスイッチ固定ベース２１を熱交換器６の熱交換空気導入側である、熱交換器６一次側に取付けるようにした。特に、天井埋込み型の室内ユニットでは、室内ユニット本体１の小型化を図るために寸法的に制限を受ける一方で、吸込み量の増大化を得るために吸込み口１２の開口面積を最大限拡大して設定される。
【００６０】
このことから、熱交換器６の二次側である、ドレンパン７の外側立て壁７ｂと室内ユニット本体１側壁との間の寸法を大きくとることができない。したがって、熱交換器６の二次側は必要最小限のスペースしかなく、ドレンポンプ１０やフロートスイッチ２０を配置するには熱交換器６を変形加工するしかない。
【００６１】
ここでは、熱交換器６の一次側にフロートスイッチ２０と、ドレン口８と、ドレンポンプ１０を配置し、フロートスイッチ固定ベース２１およびドレンポンプ支持具１７を取付けるようにした。したがって、熱交換器６の二次側に対する必要最小限のスペースを確保できるとともに、熱交換器６に対する変形加工を不要とする。
【００６２】
メンテナンス作業でフロートスイッチ２０の取外しを必要とするとき、化粧パネル２の吸込みグリル１３を開放して吸込み口１２を露出すれば、ドレンパン７の内側立て壁部７ａが露出する。そこで、工具を挿入し、取付け用ねじ２６を外すことで固定ベース２１をドレンパン７から取外せる。
【００６３】
したがって、化粧パネル２やドレンパン７、あるいは電気部品箱１１はそのままの状態としてフロートスイッチ２０の取外しが可能であり、メンテナンス作業性の向上を得られる。当然、フロートスイッチ２０の固定ベース２１をドレンパン７に取付けるのも、吸込み口１２を介して作業できる。
【００６４】
ドレンパン７の内側立て壁部７ａの壁面に位置決め用ボス２７を設けて、フロートスイッチ固定ベース２１の位置決めをなすようにした。位置決め用ボス２７がドレンパン内側立て壁部７ａに設けられているので容易に目視でき、作業性がよい。
【００６５】
フロートスイッチ固定ベース２１の位置決めにより、ドレンパン内側立て壁部７ａ上面のねじ挿通用孔２５と、固定ベース取付け部２１ｂのねじ孔２２の位置が正確に定まる。そして、取付け用ねじ２６をドレンパン７の下部側からねじ挿通用孔２５を介してねじ孔２２に容易に螺合でき、固定ベース２１の取付け作業が簡単ですむ。  
なお、本発明は上述した実施の形態そのままに限定されるものではなく、実施段階ではその要旨を逸脱しない範囲で構成要素を変形して具体化できる。そして、上述した実施の形態に開示されている複数の構成要素の適宜な組合せにより、種々の発明を形成できる。
【図面の簡単な説明】
【００６６】
【図１】本発明における一実施の形態に係る、空気調和機の室内ユニットを見上げた状態での斜視図。
【図２】同実施の形態に係る、化粧パネルを取外した室内ユニット本体の底面図。
【図３】同実施の形態に係る、室内ユニット一部の断面図。
【図４】同実施の形態に係る、室内ユニット一部を切欠した斜視図。
【図５】同実施の形態に係る、室内ユニット一部を分解するとともに切欠した斜視図。
【図６】同実施の形態に係る、ドレンポンプとフロートスイッチを取付けたドレンパンの斜視図。
【図７】同実施の形態に係る、ドレンポンプとフロートスイッチを取付けたドレンパンの一部を拡大した斜視図。
【図８】同実施の形態に係る、ドレンパンに対するフロートスイッチの取付けを説明する斜視図。
【符号の説明】
【００６７】
１…室内ユニット本体、６…熱交換器、７…ドレンパン、２０…フロートスイッチ、１０…ドレンポンプ、２１…固定ベース（フロートスイッチの支持体）、１７…ドレンポンプ支持具（ドレンポンプの支持体）、１ａ…天板部、２…化粧パネル、１２…吸込み口、１５…吹出し口、２６…取付け用ねじ（取付け具）、２７…位置決め用ボス。
【図１】
0005148241.tif 000002
【図２】
0005148241.tif 000003
【図３】
0005148241.tif 000004
【図４】
0005148241.tif 000005
【図５】
0005148241.tif 000006
【図６】
0005148241.tif 000007
【図７】
0005148241.tif 000008
【図８】
0005148241.tif 000009